【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
1つまたは複数のソーシャルネットワーキングサービスに関する加入者のプライバシー設定を管理する方法であって、
サーバにより、前記1つまたは複数のソーシャルネットワーキングサービスに関する第1の加入者のプライバシー設定セットを決定するステップと、
前記サーバにより、前記第1の加入者から、前記第1の加入者の受動的行動に基づいて前記プライバシー設定セットを動的に変更する許可を受信するステップと、
前記サーバにより、前記受信された許可に応答して、前記第1の加入者と前記1つまたは複数のソーシャルネットワーキングサービスとの間の対話とは別個の前記第1の加入者の受動的行動を監視するステップと、
前記サーバにより、前記受信された許可と前記第1の加入者の前記監視された受動的行動とに基づいて、前記第1の加入者の前記プライバシー設定セットの変更をトリガするステップと、
前記第1の加入者と第2の加入者の間で情報を交換するための前記第1の加入者の前記監視された受動的行動に基づいて前記第1の加入者と前記第2の加入者のプライバシー設定セットを変更するステップであって、前記監視された受動的行動は、前記第1の加入者と前記第2の加入者の間の呼、メッセージ交換、および対話の停止のうち1つまたは複数を含む、ステップと、
前記情報の交換に続いて、前記第1の加入者と前記第2の加入者の前記変更されたプライバシー設定セットを、前記変更の前のそれぞれのプライバシー設定セットに復帰するステップと、
を含む方法。
【請求項２】
前記第1の加入者の前記監視された受動的行動に基づいて、前記第1の加入者に推奨するコンテンツを決定するステップと、
前記決定されたコンテンツを前記第1の加入者に通知するステップと
をさらに含む、請求項1に記載の方法。
【請求項３】
前記第1の加入者に推奨する前記コンテンツを決定するために使用される前記第1の加入者の前記監視された受動的行動は、前記第1の加入者の位置情報を含む、請求項2に記載の方法。
【請求項４】
前記位置情報は、地理的ランドマークに前記第1の加入者が近接していることを示す、請求項3に記載の方法。
【請求項５】
前記地理的ランドマークは小売店の位置に対応する、請求項4に記載の方法。
【請求項６】
検索結果データを検索するように構成された検索基準セットを前記第1の加入者が手動で入力していると判断するステップと、
前記手動で入力された検索基準に基づいて、前記第1の加入者に推奨するコンテンツを決定するステップであって、前記決定されたコンテンツは前記検索結果データとは別個のものである、ステップと、
前記第1の加入者の前記監視された受動的行動に基づいて、前記第1の加入者に推奨する前記決定されたコンテンツの一部分を選択的に除外するステップと、
前記決定されたコンテンツを前記第1の加入者に通知するステップと
をさらに含む、請求項1に記載の方法。
【請求項７】
前記第1の加入者の前記監視された受動的行動は、前記第1の加入者の位置を判断することを含む、請求項1に記載の方法。
【請求項８】
前記第1の加入者との社会的関係を有する前記第2の加入者の位置を判断するステップと、
前記第1の加入者および前記第2の他の加入者が互いにしきい値近接性の範囲内にあると判断するステップと、
前記第1の加入者に対し、前記第2の他の加入者が前記第1の加入者の前記しきい値近接性の範囲内にあることを通知するステップと
をさらに含む、請求項1に記載の方法。
【請求項９】
前記第1の加入者の前記監視された受動的行動に基づいて、所与の対象の優先度を引き上げるステップと、
前記所与の対象に関連する検索結果データを検索するように構成された検索基準セットを前記第1の加入者が手動で入力していると判断するステップと、
前記検索基準セットに基づいて前記検索を実行し、前記所与の対象に関係する検索結果データの一部分を含む検索結果データを取得するステップと、
前記所与の対象の前記引き上げられた優先度に基づいて、前記所与の対象に関係する前記検索結果データの前記部分に、より高い優先度を割り振るステップと
をさらに含む、請求項1に記載の方法。
【請求項１０】
前記引き上げられた優先度は、前記所与の対象の引き上げられた社会的ランク、または前記所与の対象が前記第1の加入者の近接性しきい値の範囲内に位置するという認識に対応する、請求項9に記載の方法。
【請求項１１】
前記第1の加入者の前記監視された受動的行動に基づいて、所与の対象の優先度を引き上げるステップと、
検索結果データを検索するように構成された検索基準セットを前記第1の加入者が手動で入力したと判断するステップと、
前記手動で入力された検索基準に基づいて、前記第1の加入者に推奨するコンテンツを決定するステップであって、前記決定されたコンテンツは前記検索結果データとは別個のものであり、前記決定されたコンテンツの一部分は前記所与の対象に関係する、ステップと、
前記所与の対象の前記引き上げられた優先度に基づいて、前記決定されたコンテンツの前記部分に、より高い優先度を割り振るステップと
をさらに含む、請求項1に記載の方法。
【請求項１２】
前記引き上げられた優先度は、前記所与の対象の引き上げられた社会的ランク、または前記所与の対象が前記第1の加入者の近接性しきい値の範囲内に位置するという認識に対応する、請求項11記載の方法。
【請求項１３】
前記判断するステップ、前記取得するステップ、前記監視するステップおよび前記トリガするステップ、および前記変更するステップは、前記1つまたは複数のソーシャルネットワーキングサービスのうちの少なくとも1つをサポートするように構成されたソーシャルネットワーキングサーバによって実行される、請求項1に記載の方法。
【請求項１４】
前記判断するステップ、前記取得するステップ、前記監視するステップおよび前記トリガするステップ、および前記変更するステップは、前記1つまたは複数のソーシャルネットワーキングサービスをサポートするように構成された1つまたは複数のソーシャルネットワーキングサーバとは別個のアプリケーションサーバによって実行される、請求項1に記載の方法。
【請求項１５】
前記1つまたは複数のソーシャルネットワーキングサービスは複数の異なるソーシャルネットワーキングサービスを含み、
前記トリガするステップは前記アプリケーションサーバによって実行され、それにより、前記プライバシー設定セットが前記複数の異なるソーシャルネットワーキングサービスにわたって変更される、
請求項14に記載の方法。
【請求項１６】
前記監視された受動的行動は、前記第1の加入者から、もしくは前記第1の加入者に対して行われた呼、前記第1の加入者から、もしくは前記第1の加入者に対して送られたテキストメッセージ、インスタントメッセージもしくは電子メール、および前記第1の加入者の位置、のうちの1つまたは複数に対応する、請求項1に記載の方法。
【請求項１７】
1つまたは複数のソーシャルネットワーキングサービスに関する加入者のプライバシー設定を管理するように構成されたアプリケーションサーバであって、
前記1つまたは複数のソーシャルネットワーキングサービスに関する第1の加入者のプライバシー設定セットを決定するための手段と、
前記第1の加入者の受動的行動に基づいて前記第1の加入者の前記プライバシー設定セットを動的に変更する許可を受信するための手段と、
前記受信された許可に応答して、前記第1の加入者と前記1つまたは複数のソーシャルネットワーキングサービスとの間の対話とは別個の前記加入者の受動的行動を監視するための手段と、
前記受信された許可と前記第1の加入者の前記監視された受動的行動とに基づいて、前記第1の加入者の前記プライバシー設定セットの変更をトリガするための手段と、
前記第1の加入者と第2の加入者の間で情報を交換するための前記第1の加入者の前記監視された受動的行動に基づいて前記第1の加入者と前記第2の加入者のプライバシー設定セットを変更するための手段であって、前記監視された受動的行動は、前記第1の加入者と前記第2の加入者の間の呼、メッセージ交換、および対話の停止のうち1つまたは複数を含む、手段と、
前記情報の交換に続いて、前記第1の加入者と前記第2の加入者の前記変更されたプライバシー設定セットを、前記変更の前のそれぞれのプライバシー設定セットに復帰するための手段と、
を含むアプリケーションサーバ。
【請求項１８】
前記アプリケーションサーバは、前記1つまたは複数のソーシャルネットワーキングサービスをサポートするように構成された1つまたは複数のソーシャルネットワーキングサーバとは別個のものである、請求項17に記載のアプリケーションサーバ。
【請求項１９】
1つまたは複数のソーシャルネットワーキングサービスに関する加入者のプライバシー設定を管理するように構成されたアプリケーションサーバであって、
前記1つまたは複数のソーシャルネットワーキングサービスに関する第1の加入者のプライバシー設定セットを決定するように構成された第1の処理モジュールと、
前記第1の加入者の受動的行動に基づいて前記第1の加入者の前記プライバシー設定セットを動的に変更する許可を受信するように構成された第2の処理モジュールと、
前記受信された許可に応答して、前記第1の加入者と前記1つまたは複数のソーシャルネットワーキングサービスとの間の対話とは別個の前記第1の加入者の受動的行動を監視するように構成された第3の処理モジュールと、
前記受信された許可と前記加入者の前記監視された受動的行動とに基づいて、前記プライバシー設定セットの変更をトリガするように構成された、ハードウェアを備える第4の処理モジュールと、
前記第1の加入者と第2の加入者の間で情報を交換するための前記第1の加入者の前記監視された受動的行動に基づいて前記第1の加入者と前記第2の加入者のプライバシー設定セットを変更するように構成された第5の処理モジュールであって、前記監視された受動的行動は、前記第1の加入者と前記第2の加入者の間の呼、メッセージ交換、および対話の停止のうち1つまたは複数を含む、第5の処理モジュールと、
前記情報の交換に続いて、前記第1の加入者と前記第2の加入者の前記変更されたプライバシー設定セットを、前記変更の前のそれぞれのプライバシー設定セットに復帰するための第6の処理モジュールと、
を含むアプリケーションサーバ。
【請求項２０】
前記アプリケーションサーバは、前記1つまたは複数のソーシャルネットワーキングサービスをサポートするように構成された1つまたは複数のソーシャルネットワーキングサーバとは別個のものである、請求項19に記載のアプリケーションサーバ。
【請求項２１】
1つまたは複数のソーシャルネットワーキングサービスに関する加入者のプライバシー設定を管理するためのコンピュータ実行可能コードを記録した非一時的コンピュータ可読記録媒体であって、
前記1つまたは複数のソーシャルネットワーキングサービスに関する第1の加入者のプライバシー設定セットを決定するためのコードと、
前記第1の加入者の受動的行動に基づいて前記第1の加入者の前記プライバシー設定セットを動的に変更する許可を受信するためのコードと、
前記受信された許可に応答して、前記第1の加入者と前記1つまたは複数のソーシャルネットワーキングサービスとの間の対話とは別個の前記加入者の受動的行動を監視するためのコードと、
前記受信された許可と前記第1の加入者の前記監視された受動的行動とに基づいて、前記プライバシー設定セットの変更をトリガするためのコードと、
前記第1の加入者と第2の加入者の間で情報を交換するための前記第1の加入者の前記監視された受動的行動に基づいて前記第1の加入者と前記第2の加入者のプライバシー設定セットを変更するためのコードであって、前記監視された受動的行動は、前記第1の加入者と前記第2の加入者の間の呼、メッセージ交換、および対話の停止のうち1つまたは複数を含む、コードと、
前記情報の交換に続いて、前記第1の加入者と前記第2の加入者の前記変更されたプライバシー設定セットを、前記変更の前のそれぞれのプライバシー設定セットに復帰するためのコードと、
を含む、非一時的コンピュータ可読記録媒体。
【請求項２２】
前記アプリケーションサーバは、前記1つまたは複数のソーシャルネットワーキングサービスをサポートするように構成された1つまたは複数のソーシャルネットワーキングサーバとは別個のものである、請求項21に記載のコンピュータ可読記録媒体。
【請求項２３】
前記第１の加入者の前記監視された受動的行動は前記第１の加入者と前記第２の加入者の間の対話に関連し、前記プライバシー設定セットの変更のトリガは前記対話の量に基づく、請求項１に記載の方法。
【請求項２４】
前記第１の加入者の前記監視された受動的行動は、前記第１の加入者に関連付けられたスケジュールされたイベントに対応する前記第１の加入者と前記第２の加入者の間の対話に関連し、前記プライバシー設定セットの変更のトリガはさらに、前記イベントの期間に基づいて前記プライバシー設定セットの一時的変更をトリガするステップを含む、請求項１に記載の方法。